(57)【要約】【課題】  短距離無線通信を用いて実際に店舗等を利用したユーザ毎にこれを紹介候補として登録することができ、この情報紹介により店舗等の広告媒体を拡大させることができる情報紹介システムを提供する。【解決手段】  店舗の簡易データを提供する店舗端末４と、短距離無線通信により店舗端末４から簡易データを取得して紹介候補として登録する携帯端末２と、店舗の詳細情報を格納する店舗管理用ＤＢ１１と、紹介者、被紹介者及び紹介する店舗の対応関係を格納する紹介管理用ＤＢ１２と、携帯端末２から受信した紹介要求に基づき店舗の詳細情報のＤＬ用ＵＲＬを携帯端末２又は携帯端末３に送信すると共に、ＤＬ用ＵＲＬによりアクセスがあると紹介管理用ＤＢ１２の内容に基づいて対応関係を確認して店舗管理用ＤＢ１１から詳細情報を提供する紹介処理部６とを有するセンタ装置１とを備える。【選択図】        図１
2007079977.tif 000002
【特許請求の範囲】
【請求項１】
対象物の簡易情報を提供する情報提供用端末と、短距離無線通信により前記情報提供用端末から簡易情報を取得してその対象物を紹介候補として登録する紹介者端末とを備えた情報紹介システムの情報管理装置において、
前記対象物の詳細情報を格納した対象物管理用データベースと、
紹介者、被紹介者及び紹介する対象物の対応関係を特定する情報を格納した紹介管理用データベースと、
前記紹介者端末から前記簡易情報に基づく紹介要求を受けると、紹介要求された対象物の詳細情報の配信用アドレス情報を紹介者端末又は紹介要求により特定された被紹介者端末に送信すると共に、紹介された対象物に関する前記紹介管理用データベースの内容を更新し、前記配信用アドレス情報により詳細情報要求があると、前記紹介管理用データベースで前記対応関係を確認して前記対象物管理用データベースから対象物の詳細情報を提供する紹介処理部とを備えた情報管理装置。
【請求項２】
紹介処理部は、紹介者端末から受信した紹介要求で被紹介者端末の宛先が特定されている場合、この宛先に、紹介者、紹介する対象物及びその配信用アドレス情報を記載した電子メールを送信することを特徴とする請求項１記載の情報管理装置。
【請求項３】
紹介処理部は、紹介者端末が通信接続する通信ネットワーク上の情報提供サイトに掲載可能な形態で、紹介者、紹介する対象物及びその配信用アドレス情報を記載した紹介情報を生成して前記紹介者端末に送信し、前記情報提供サイトを介して前記紹介情報を取得した被紹介者端末から前記配信用アドレス情報による詳細情報要求があると、紹介管理用データベースの内容で紹介者、被紹介者及び紹介された対象物の対応関係を確認して対象物管理用データベースから対象物の詳細情報を提供することを特徴とする請求項１又は請求項２記載の情報管理装置。
【請求項４】
紹介者、被紹介者及び紹介された対象物の対応関係、被紹介者による対象物の利用結果、紹介者への紹介料に対応する紹介ポイント、対象物の利用により発生する広告料金情報を含む広告結果を格納した広告結果管理用データベースと、
短距離無線通信により情報提供用端末が取得した対象物の利用結果と前記紹介管理用データベースの内容とを照合して前記広告結果を求め、この広告結果を用いて前記広告結果管理用データベースの内容を更新する広告結果更新部とを備えたことを特徴とする請求項１から請求項３のうちのいずれか１項記載の情報管理装置。
【請求項５】
対象物の簡易情報を提供する情報提供用端末と、短距離無線通信により前記情報提供用端末から簡易情報を取得してその対象物を紹介候補として登録する紹介者端末と、前記対象物の詳細情報を管理する情報管理装置とを備えた情報紹介システムにおいて、
前記情報提供用端末は、
前記対象物の簡易情報を格納し、短距離無線通信により対象物の簡易情報を通信相手に送信する簡易情報送信部と、
前記対象物の利用結果を格納した利用ログデータベースと、
短距離無線通信により対象物の利用結果を取得し、これを用いて前記利用ログデータベースの内容を更新する利用ログ更新部とを備え、
前記紹介者端末は、
短距離無線通信により前記情報提供用端末から簡易情報を取得してその対象物を紹介候補として登録する簡易情報登録部と、
前記簡易情報に基づいて紹介する対象物を特定した紹介要求を情報管理装置に送信すると共に、前記情報管理装置に通信接続して前記対象物の詳細情報を取得する通信処理部とを備え、
前記情報管理装置は、
前記対象物の詳細情報を格納した対象物管理用データベースと、
紹介者、被紹介者及び紹介する対象物の対応関係を特定する情報を格納した紹介管理用データベースと、
紹介者、被紹介者及び紹介された対象物の対応関係、被紹介者による対象物の利用結果、紹介者への紹介料に対応する紹介ポイント、対象物の利用により発生する広告料金情報を含む広告結果を格納した広告結果管理用データベースと、
前記紹介者端末から前記簡易情報に基づく紹介要求を受けると、紹介要求された対象物の詳細情報の配信用アドレス情報を紹介者端末又は紹介要求により特定された被紹介者端末に送信すると共に、紹介された対象物に関する前記紹介管理用データベースの内容を更新し、前記配信用アドレス情報により詳細情報要求があると、前記紹介管理用データベースで前記対応関係を確認して前記対象物管理用データベースから対象物の詳細情報を提供する紹介処理部と、
前記情報提供用端末から取得した前記利用ログデータベースの内容と前記紹介管理用データベースの内容とを照合して前記広告結果を求め、この広告結果を用いて前記広告結果管理用データベースの内容を更新する広告結果更新部とを備えた情報紹介システム。
【発明の詳細な説明】
【技術分野】
【０００１】
この発明は、非接触ＩＣカード等による短距離無線通信を用いて、ユーザ毎に様々な対象を紹介対象として登録でき、またその被紹介者による紹介対象へのアクセス等を管理することができる情報紹介システム及びこれに用いる情報管理装置に関するものである。
【背景技術】
【０００２】
店舗等に設置された端末装置とユーザの携帯端末との情報のやり取りを介する従来の情報処理システムとしては、例えば特許文献１に開示される購買情報利用決済システムがある。このシステムでは、購買情報や利用ログを管理し、ユーザの端末装置との間でこれらを授受する情報配信装置と、ユーザの端末装置と交信して購買情報を受け取り、購買情報を利用したサービスを実施し、その利用ログをユーザの持つ端末装置に返す販売装置とを備え、これらの連携により従来のような紙の媒体を持ち歩かずに電子的なデータの授受によりサービスを提供し利用できるようにしたものである。
【０００３】
また、特許文献２に開示される情報処理システムでは、各店舗に設置された端末装置と情報管理サーバとが通信ネットワークを介して接続可能に設けられている。この端末装置は、ユーザの移動体通信端末との間で近傍通信により識別情報を受信すると、通信ネットワークを介して情報管理サーバに識別情報を送信する。情報管理サーバは、送信されてきた識別情報に基づいて、顧客データベースの来店履歴又は購買履歴を記録する。これにより、店舗側では、来店した顧客が広告情報を見てきた顧客であるのかどうかをチェックしなくても、情報管理サーバの顧客データベースを参照することで来店履歴や購買履歴が分かるので、広告の効果などを検証することができる。
【０００４】
【特許文献１】特開２００１−２１６４５１号
【特許文献２】特開２００２−１０１４５７号
【発明の開示】
【発明が解決しようとする課題】
【０００５】
従来のシステムは、システムのサービスに登録した他のユーザとの間における情報のやり取りに関するものであるため、ユーザ毎に様々な対象を紹介対象として登録したり、サービス未登録者を含めた特定者、不特定多数者に情報を紹介することにより生じる広告効果を得ることができないという課題があった。
【０００６】
例えば、特許文献１のシステムでは、ユーザが携帯端末と店舗等の端末装置との情報のやり取りを介してユーザによる店舗の購買情報や利用ログを管理するが、当該店舗自体の情報を他に紹介する機能はない。また、特許文献２のシステムは、顧客データベースに予め登録されたユーザに配信した広告情報の効果を各店舗に設置された端末装置とユーザの移動体通信端末との間での近傍通信を介して検証するものである。このため、ユーザ毎に紹介対象を登録したり、サービス未登録者に情報を紹介することはできない。
【０００７】
この発明は、上記のような課題を解決するためになされたもので、非接触ＩＣカード等による短距離無線通信を用いて実際に店舗等を利用したユーザ毎にこれを紹介候補として登録することができ、またその被紹介者による対象物の利用も管理することで、予め登録されたユーザに限定されることなく、情報紹介により広告媒体を広げることができ、それによる新たな広告効果を発揮することができる情報紹介システム及び情報管理装置を得ることを目的とする。
【課題を解決するための手段】
【０００８】
この発明に係る情報紹介システムは、対象物の簡易情報を格納し、短距離無線通信により対象物の簡易情報を通信相手に送信する簡易情報送信部と、対象物の利用結果を格納した利用ログデータベースと、短距離無線通信により対象物の利用結果を取得し、これを用いて利用ログデータベースの内容を更新する利用ログ更新部とを有する情報提供用端末と、短距離無線通信により情報提供用端末から簡易情報を取得してその対象物を紹介候補として登録する簡易情報登録部と、簡易情報に基づいて紹介する対象物を特定した紹介要求を情報管理装置に送信すると共に、情報管理装置に通信接続して対象物の詳細情報を取得する通信処理部とを有する紹介者端末と、対象物の詳細情報を格納した対象物管理用データベースと、紹介者、被紹介者及び紹介する対象物の対応関係を特定する情報を格納した紹介管理用データベースと、紹介者、被紹介者及び紹介された対象物の対応関係、被紹介者による対象物の利用結果、紹介者への紹介料に対応する紹介ポイント、対象物の利用により発生する広告料金情報を含む広告結果を格納した広告結果管理用データベースと、紹介者端末から簡易情報に基づく紹介要求を受けると、紹介要求された対象物の詳細情報の配信用アドレス情報を紹介者端末又は紹介要求により特定された被紹介者端末に送信すると共に、紹介された対象物に関する紹介管理用データベースの内容を更新し、配信用アドレス情報により詳細情報要求があると、紹介管理用データベースで対応関係を確認して対象物管理用データベースから対象物の詳細情報を提供する紹介処理部と、情報提供用端末から取得した利用ログデータベースの内容と紹介管理用データベースの内容とを照合して広告結果を求め、この広告結果を用いて広告結果管理用データベースの内容を更新する広告結果更新部とを有する情報管理装置とを備えるものである。
【発明の効果】
【０００９】
この発明によれば、紹介者が対象物を利用した際に紹介候補として登録した対象物の詳細情報を得ることができる上、紹介ポイントを与えることにより紹介者に紹介候補とした対象物の紹介を喚起することができる。これにより、新たな広告媒体及びその広告効果を得ることができる。
【発明を実施するための最良の形態】
【００１０】
実施の形態１．
図１は、この発明の実施の形態１による情報紹介システムの構成を示すブロック図である。実施の形態１による情報紹介システムは、センタ装置（情報管理装置）１、インターネット等の通信ネットワークを介してセンタ装置１とデータ通信が可能な携帯電話等の携帯端末（紹介者端末、被紹介者端末）２，３、これら携帯端末２，３と短距離無線通信が可能な店舗端末（情報提供用端末）４から構成される。センタ装置１は、インターネットを介して携帯端末２，３と接続するコンピュータからなり、ユーザの情報、店舗の情報、紹介者及び被紹介者の情報及び紹介された店舗の利用情報を管理する。
【００１１】
センタ装置１の主な構成は、図示のように、通信部５、紹介処理部６、ユーザ情報登録部７、広告結果更新部８、ユーザ用アプリケーションデータベース９、ユーザ管理用データベース１０、店舗管理用データベース（対象物管理用データベース）１１、紹介管理用データベース１２、広告結果管理用データベース１３からなる。なお、以降、データベースはＤＢと適宜略す。
【００１２】
通信部５は、インターネットを介して携帯端末２，３と接続するウェブサーバの機能を有し、ユーザ登録や店舗の詳細データの提供、店舗の紹介処理を行うためのウェブページを格納し管理する。紹介処理部６は、通信部５のウェブサーバ機能と連動して、携帯端末から受信したデータや各データベース９〜１２の内容に基づいて店舗紹介処理を行うウェブアプリケーション及びこれを実行する演算部によって具現化される。
【００１３】
ユーザ情報登録部７も、通信部５のウェブサーバ機能と連動してオンラインで本システムのサービス登録処理を実行するウェブアプリケーション及びこれを実行する演算部によって具現化され、携帯端末から受信したユーザ登録情報をユーザ管理用ＤＢ１０に格納する。広告結果更新部８は、センタ装置１で実行されるアプリケーション及びその演算部により実現される構成部であって、店舗端末４からの利用実績情報と紹介管理用ＤＢ１２の内容に基づいて広告結果情報を作成し、この内容により広告結果管理用ＤＢ１３を更新する。
【００１４】
ユーザ用アプリケーションＤＢ９は、携帯端末に対して、店舗端末４から当該店舗の簡易データを登録したり、この簡易データに基づいてセンタ装置１にアクセスすることで店舗の詳細データを取得する機能を持たせる専用アプリケーションを格納する。この専用アプリケーションは、ユーザ情報登録部７によりユーザ登録されると、当該ユーザの携帯端末に対して当該ＤＢ９のダウンロード用ＵＲＬ等の通信ネットワーク上の場所が通知されてダウンロードされる。なお、専用アプリケーションは、携帯端末がｉモード（登録商標）対応の携帯電話機等で実現される場合であれば、例えばｉアプリ（登録商標）のような携帯電話機に汎用されているアプリケーションソフトウエアにより作成してもよい。
【００１５】
ユーザ管理用ＤＢ１０は、サービスに登録したユーザの携帯端末を識別するための端末ＩＤに対応付けて、アプリＤＬ用データ及びアフィリエイト用データをそれぞれ別途格納し管理する。ここで、アプリＤＬ用データとは、ユーザ用アプリケーションＤＢ９からの専用アプリケーションのダウンロードを許可するための登録情報であり、携帯端末の端末ＩＤ及び携帯端末のメールアドレスの他、例えば名前、住所、性別、生年月日、趣味等のユーザの個人情報がある。
【００１６】
端末ＩＤとは、携帯端末をユニークに識別できる情報であればよく、携帯端末の短距離無線通信媒体として非接触ＩＣカード（例えば、ＦｅｌｉＣａ（登録商標））を採用した場合であればそのＩＤ等が考えられる。また、アフィリエイト用データは、単に店舗の情報を得たり店舗を紹介対象として登録するだけでなく、積極的に店舗紹介することにより更なるサービスを得るための登録情報であり、例えば店舗紹介によるポイントを紹介料に還元するためのユーザの金融機関の口座等が考えられる。
【００１７】
店舗管理用ＤＢ１１は、情報提供側である店舗を識別するための店舗ＩＤに対応付けてこの店舗が事前に登録した店舗の詳細データを格納する。店舗詳細データには、店舗の漢字名称、地図、店舗が行っているサービスクーポン等のオトク情報、その他店舗に固有な情報がある。なお、店舗管理用ＤＢ１１の内容は、店舗端末４等を用いて店舗側から定期的あるいは常時、更新情報が通知され、更新されるものとする。
【００１８】
紹介管理用ＤＢ１２は、紹介者の端末ＩＤ、紹介対象の店舗ＩＤ、店舗詳細データのダウンロード用ＵＲＬ、被紹介者のメールアドレス等の、紹介に必要な情報をそれぞれ対応付けて格納する。広告結果管理用ＤＢ１３は、紹介者の携帯端末の端末ＩＤ、被紹介者の携帯端末の端末ＩＤ、被紹介者による店舗のアクセス等の利用結果、利用実績、紹介による広告料金、紹介費支払いのための紹介ポイント等をそれぞれ対応付けて広告結果に関する情報として格納する。
【００１９】
携帯端末２，３は、センタ装置１との通信機能及び店舗端末４との短距離無線通信機能を有し、センタ装置１からダウンロードした専用アプリケーションを実行する演算処理部を備えた端末であり、例えばＦｅｌｉＣａ（登録商標）を採用した非接触ＩＣカードを搭載するｉモード（登録商標）対応の携帯電話機や、ｂｌｕｅｔｏｏｔｈ（登録商標）等の短距離無線通信機能を有する携帯通信端末が考えられる。携帯端末２，３は、図に示すように、通信部（通信処理部）１４、店舗情報取得処理部（通信処理部）１５、メモリ１６、簡易データ登録部（簡易情報登録部）１７、近距離無線通信部１８を構成要素として有する。
【００２０】
通信部１４は、インターネット等を介して通信するためのハードウエアと、センタ装置１のウェブページにアクセスするためのウェブブラウザ等のソフトウエアとが協働した構成部として具現化される。店舗情報取得処理部１５は、メモリ１６に記憶した店舗の簡易データ等に基づいて、通信部１４に連動した店舗詳細データ要求や店舗紹介要求に関する表示情報を生成する。なお、店舗の簡易データには、本システムのサービスにおいて店舗を識別するための店舗ＩＤ、携帯端末側で紹介対象として登録する際に使用するデータ容量の少ない店舗のカナ名称や電話番号等のデータがある。
【００２１】
メモリ１６は、紹介対象データとして店舗の簡易データを登録するメモリであって、携帯端末２，３に標準に搭載されたメモリの他、ＦｅｌｉＣａ（登録商標）を採用した非接触ＩＣカードを搭載する場合であればそのメモリを使用してもよい。簡易データ登録部１７は、店舗の簡易データを紹介対象データとしてメモリ１６に登録する。短距離無線通信部１８は、店舗端末４の短距離無線通信部とデータ通信する構成部であって、例えばＦｅｌｉＣａ（登録商標）を採用した非接触ＩＣカードやｂｌｕｅｔｏｏｔｈ（登録商標）を採用した通信手段、赤外通信等が考えられる。
【００２２】
また、店舗情報取得処理部１５及び簡易データ登録部１７は、センタ装置１からダウンロードした専用アプリケーションにより具現化される。つまり、演算機能を有し、いわゆるコンピュータとして機能する携帯端末２，３に、本発明の専用アプリケーションプログラムを実行させてその動作を制御することにより、ハードウエアと協働した具体的手段として実現することができる。なお、以下の説明において、上述したコンピュータ自体の構成及びその基本的な機能については、当業者が当該技術分野の技術常識に基づいて容易に認識できるものであり、本発明の本質に直接関わるものではないので詳細な記載を省略する。
【００２３】
店舗端末４は、少なくとも携帯端末と短距離無線通信する機能を有して自己の簡易データを携帯端末に送信したり、被紹介者の携帯端末から店舗の利用データを受信する端末装置であり、例えば非接触ＩＣカードのリーダ／ライタを備えたコンピュータにより具現化される。店舗端末４は、図に示すように、簡易データ登録部（簡易情報送信部）１９、近距離無線通信部２０、利用ログ更新部２１、利用ログデータベース２２を構成要素として有する。
【００２４】
簡易データ登録部１９は、店舗の簡易データを記憶し、短距離無線通信部２０を介して携帯端末に簡易データを送信する構成部であり、簡易データの記憶領域は店舗端末４を具現化するコンピュータのメモリ上に構築される。近距離無線通信部２０は、携帯端末２，３と短距離無線通信する通信部であり、例えば携帯端末２，３がＦｅｌｉＣａ（登録商標）を採用した非接触ＩＣカードを搭載する場合であればそのリーダ／ライタ、ｂｌｕｅｔｏｏｔｈ（登録商標）を採用した通信手段、赤外通信等が考えられる。利用ログ更新部２１は、近距離無線通信部２０を介して被紹介者の携帯端末３から受信した利用情報に基づいて利用ログＤＢ２２の内容を更新する。
【００２５】
利用ログＤＢ２２は、被紹介者の利用情報に基づいて利用ログ更新部２１が構築した利用ログ情報を格納するデータベースであり、店舗端末４を具現化するコンピュータのメモリ上に構築される。被紹介者による利用情報としては、紹介者の携帯端末２の端末ＩＤ、被紹介者の携帯端末３の端末ＩＤ、クーポン等のオトク情報、その他被紹介者であることを特定する情報が考えられる。利用ログ情報は、紹介者の携帯端末２の端末ＩＤ、被紹介者の携帯端末３の端末ＩＤ、利用金額、利用回数、利用内容等をそれぞれ対応付けた情報である。
【００２６】
紹介者の携帯端末２の端末ＩＤや被紹介者の携帯端末３の端末ＩＤ、利用金額の登録や、利用回数の加算処理については利用ログ更新部２１により自動的に実行してもよいが、利用内容については、例えば店舗側が提供するサービスクーポン等のオトク情報を反映させる等の具体的な内容を記入させるため、利用ログ更新部２１の機能として適当な記入欄を設けたＧＵＩを店舗側の管理者に提示するような構成であってもよい。
【００２７】
また、簡易データ登録部１９及び利用ログ更新部２１は、店舗が本システムのサービスに加盟した際に提供される専用アプリケーションの機能として実現される。つまり、店舗端末４として機能するコンピュータに、本発明の上記専用アプリケーションプログラムを実行させてその動作を制御することにより、ハードウエアと協働した具体的手段として実現することができる。なお、以下の説明において、上述したコンピュータ自体の構成及びその基本的な機能については、当業者が当該技術分野の技術常識に基づいて容易に認識できるものであり、本発明の本質に直接関わるものではないので詳細な記載を省略する。
【００２８】
次に動作について説明する。
先ず、店舗側（紹介対象となり得る情報の提供側）による本システムのサービスへの登録処理としては、店舗に配布等した申込用紙を介するものが考えられる。例えば、店舗の詳細データ（店舗の漢字名称、地図、店舗が行っているサービスクーポン等のオトク情報、その他店舗に固有な情報）の記入欄を設けた申込用紙を郵送、ファックス等の手段によりセンタ側に送付する。これにより、センタ側のオペレータにより店舗詳細データが店舗管理用ＤＢ１１に登録され、システム側から店舗ＩＤ等の店舗の識別データが店舗側に与えられる。
【００２９】
例えば、店舗端末４として、店舗ＩＤを含む簡易データを設定した簡易データ登録部１９、及び利用ログ更新部２１として機能するプログラムを搭載し、非接触ＩＣカードのリーダ／ライタを備えた情報処理端末を店舗側に提供するようにしてもよい。また、店舗ＩＤは、センタ側で設定する場合に限らず、店舗側が自己を識別するものとして設定したパスワードのようなものを用いてもよい。
【００３０】
この他、店舗側にウェブブラウザを搭載したパーソナルコンピュータ（ＰＣ）がある場合、センタ装置１とオンラインで店舗登録するようにしてもよい。例えば、センタ装置１の通信部５で提供する店舗登録ウェブページに、店舗詳細データを記入するとセンタ装置１に記入データが送信される記入欄を設けておく。
【００３１】
店舗側の前記ＰＣが、ウェブブラウザにより店舗登録ウェブページにアクセスし、店舗詳細データを記入してセンタ装置１に送信する。これにより、紹介処理部６が、通信部５を介して受信した店舗詳細データを店舗管理用ＤＢ１１に格納すると共に、店舗端末４として機能させための専用アプリケーションのダウンロード用ＵＲＬを返信する。
【００３２】
店舗側の前記ＰＣが、センタ装置１から返信されたＵＲＬにアクセスすると、センタ装置１の紹介処理部６に専用アプリケーションをリクエストする。このリクエストに応じて、紹介処理部６が、不図示の店舗用アプリケーションＤＢから専用アプリケーションを読み出して前記ＰＣに返信する。これにより、前記ＰＣは専用アプリケーションを取得することができる。なお、リーダ／ライタ等のハードウエアについてはセンタ側から別途提供するようにしてもよい。
【００３３】
次に携帯端末のユーザによる登録処理について説明する。
本発明のユーザ登録処理は、例えば下記の二段階に分けられる。
第一段階として、ユーザの携帯端末にセンタ装置１から専用アプリケーションをダウンロードするためのアプリＤＬ用データを登録する処理がある。この処理により、厳密な管理が必要な個人情報、例えば金融機関の口座番号等について登録することなく、携帯端末の端末ＩＤや簡単な個人情報を登録することで簡易に本システムの基本的なサービスを受けられる。
【００３４】
具体的な処理としては、例えばセンタ装置１の通信部５が提供するユーザ登録用ウェブページに、アプリＤＬ用データを記入するとセンタ装置１に記入データが送信される記入欄を設けておく。ユーザが、携帯端末の通信部１４によりユーザ登録用ウェブページにアクセスし、アプリＤＬ用データを記入してセンタ装置１に送信する。ユーザ情報登録部７が、通信部５を介して受信したアプリＤＬ用データをユーザ管理用ＤＢ１０のアプリＤＬ用領域に格納すると共に、ユーザ用アプリケーションＤＢ９の専用アプリケーションを返信する。
【００３５】
これにより、ユーザは、携帯端末でユーザ用アプリケーションＤＢ９の専用アプリケーションをダウンロードすることができる。この専用アプリケーションを携帯端末で実行することで、携帯端末は、店舗情報取得処理部１５及び簡易データ登録部１７を有する本発明の携帯端末として機能する。
【００３６】
また、センタ装置１と通信可能な別のパーソナルコンピュータ（ＰＣ）がある場合は、当該ＰＣを介して専用アプリケーションを携帯端末にダウンロードしてもよい。例えば、前記ＰＣでセンタ装置１のユーザ登録用ウェブページにアクセスし、アプリＤＬ用データに加えて自己の携帯端末のメールアドレスを送信する。
【００３７】
センタ装置１のユーザ情報登録部７は、通信部５を介して前記ＰＣからアプリＤＬ用データ及びメールアドレスを受信すると、アプリＤＬ用データをユーザ管理用ＤＢ１０に格納すると共に、専用アプリケーションのダウンロード用ＵＲＬを前記メールアドレスで携帯端末に返信する。
【００３８】
携帯端末では、受信したダウンロード用ＵＲＬでセンタ装置１にアクセスすることで、センタ装置１のユーザ情報登録部７に専用アプリケーションのリクエストがなされる。これに応じて、ユーザ情報登録部７が、ユーザ用アプリケーションＤＢ９の専用アプリケーションを携帯端末に返信することで、携帯端末が専用アプリケーションを得ることができる。
【００３９】
次に、登録の第二段階としてアフィリエイト登録処理がある。これは、アプリＤＬ用データ登録に引き続きあるいはその後別途センタ装置１にアクセスして、上述のアプリＤＬ用データの場合と同様にして、アフィリエイト用データをセンタ装置１側に登録するものである。
【００４０】
このアフィリエイト用データは、単に店舗の情報を得たり店舗を紹介対象として登録するだけでなく、積極的に店舗紹介することにより紹介料等のサービスを得るための登録情報であり、例えば店舗紹介によるポイントを紹介料に還元するためのユーザの金融機関の口座等がある。センタ装置１のユーザ情報登録部７は、上述のアプリＤＬ用データの場合と同様にして送信されたアフィリエイト用データを受信すると、ユーザの端末ＩＤと対応付けてユーザ管理用ＤＢ１０のアフィリエイト用領域に格納する。
【００４１】
なお、上述したものの他、店舗端末４の簡易データ登録部１９に、携帯端末と短距離無線通信した際に携帯端末側の専用アプリケーションの有無を判定する機能を持たせてもよい。例えば、未登録で専用アプリケーションを有さない携帯端末と短距離無線通信した場合、店舗端末４の簡易データ登録部１９が、センタ装置１のユーザ登録用ウェブページを紹介する情報を通知するか、若しくは、専用アプリケーションのダウンロード用ＵＲＬを通知する。このようにすることで、例えば非接触ＩＣカードを搭載する携帯端末を、そのリーダ／ライタを備えた店舗端末４にかざすだけで、未登録のユーザであっても自然に本システムのサービスに勧誘することができる。
【００４２】
図２を用いて、上述のようにして専用アプリケーションを設定した携帯端末による店舗の紹介対象登録を説明する。
先ず、本システムのサービスに登録した店舗の店舗端末４と携帯端末２との近距離無線通信を開始する。例えば、近距離無線通信が、非接触ＩＣカードとそのリーダ／ライタによりなされる場合、携帯端末２を店舗端末４のリーダ／ライタにかざすことにより近距離無線通信が開始される。また、ｂｌｕｅｔｏｏｔｈ（登録商標）を採用した通信手段であってもよい。
【００４３】
上記短距離無線通信において、店舗端末４の簡易データ登録部１９が、短距離無線通信部２０を介して自店舗の簡易データを携帯端末２側に送信する。なお、簡易データには、店舗を識別するための店舗ＩＤ、店舗のカナ名称や電話番号等のデータがある。携帯端末２の簡易データ登録部１７は、短距離無線通信部１８を介して店舗端末４からの簡易データを受信すると、簡易データを構成する各データをそれぞれ対応付けてメモリ１６に格納する。これにより、この店舗端末４の店舗が紹介対象として携帯端末２のメモリ１６に登録される。
【００４４】
続いて、携帯端末２のユーザが、更に店舗の詳細なデータを欲する場合、携帯端末２のキー操作等により店舗情報取得処理部１５を起動させる。これにより、店舗情報取得処理部１５は、メモリ１６の記憶内容に基づいて紹介対象として登録した店舗の一覧を携帯端末２の表示部に表示する。この店舗一覧は、通信部１４のウェブブラウザと連動しており、一覧中の店舗のうち詳細データを取得したい店舗をキー操作等で選択すると、携帯端末２の端末ＩＤ、選択した店舗の店舗ＩＤを含む店舗の詳細データ要求が、通信部５を介してセンタ装置１に送信される。
【００４５】
センタ装置１の紹介処理部６では、通信部５を介して携帯端末２からの詳細データ要求を受信すると、詳細データ要求中の端末ＩＤを紹介者の端末ＩＤとし、詳細データ要求中の店舗ＩＤを紹介対象の店舗のＩＤとして、これらＩＤと店舗管理用ＤＢ１１における店舗詳細データとを対応付けた情報に紹介管理用ＤＢ１２の内容を更新する。
【００４６】
このあと、紹介処理部６は、詳細データ要求中の店舗ＩＤを用いて特定した店舗の詳細データを店舗管理用ＤＢ１１から読み出して、通信部５を介して携帯端末２に送信する。ここで、店舗の詳細データとは、店舗側からセンタ装置１の店舗管理用ＤＢ１１に予め登録された、店舗の漢字名称、地図、店舗が行っているサービスクーポン等のオトク情報、その他店舗に固有な情報である。
【００４７】
なお、店舗詳細データを構成する各データに優先度を設定し、携帯端末との間の通信インフラを考慮して重要度の高いデータのみを通知するようにしてもよい。このようにして送信された店舗の詳細データは、携帯端末２の通信部１４により受信され、携帯端末２の表示部に表示されたり、音声通知等によってユーザに提示される。
【００４８】
次に、実施の形態１による店舗紹介処理について説明する。
実施の形態１による店舗紹介シーケンスを示す図３に沿って説明する。
先ず、上述のようにして紹介対象の店舗を登録したユーザが、携帯端末２でセンタ装置１にアクセスして店舗紹介要求を送信する。例えば、ユーザが携帯端末２のキー操作等により店舗情報取得処理部１５を起動させると、店舗情報取得処理部１５が、メモリ１６の記憶内容に基づいて、紹介対象として登録した店舗の一覧とメールアドレスボックスとを携帯端末２の表示部に表示する。
【００４９】
この店舗の一覧とメールアドレスボックスは、通信部１４のウェブブラウザと連動しており、紹介者となるユーザが、携帯端末２のキー操作等により紹介したい店舗と紹介したい相手のメールアドレスとを選択すると、携帯端末２の端末ＩＤ、紹介したい店舗の店舗ＩＤ、被紹介者の携帯端末３のメールアドレスを含む店舗紹介要求が、通信部１４を介してセンタ装置１に送信される。
【００５０】
センタ装置１の紹介処理部６では、通信部５を介して店舗紹介要求を受信すると、店舗紹介要求に含まれるメールアドレスで紹介管理用ＤＢ１２を検索して当該メールアドレスが既に登録されているか否かを判定する。ここで、紹介管理用ＤＢ１２に店舗紹介要求中のメールアドレスが登録されていた場合、紹介処理部６は、既に被紹介者として登録されているユーザを更に紹介している場合に該当するので、その旨を伝えるメールを携帯端末２に返信する。
【００５１】
一方、紹介処理部６は、店舗紹介要求中のメールアドレスが紹介管理用ＤＢ１２に登録されていなければ、店舗紹介要求に含まれる端末ＩＤ及び店舗ＩＤで紹介管理用ＤＢ１２を検索して紹介者と紹介対象の店舗の情報を特定し、これらの情報を含む店舗紹介メールを被紹介者の携帯端末３のメールアドレス宛に送信する。
【００５２】
店舗紹介メールには、紹介者の名前及び簡単な紹介文がメール本文に記入されており、さらに紹介対象の店舗の詳細データをダウンロードするための店舗情報ＤＬ用ＵＲＬがウェブブラウザと連動する表示として記載される。また、店舗紹介メールは、携帯端末３の通信部１４のウェブブラウザ機能によって、店舗情報ＤＬ用ＵＲＬ、紹介者ＩＤ、店舗ＩＤを表示するＨＴＭＬ形式のメールであってもよい。このように、紹介者の携帯端末２から被紹介者の携帯端末３に店舗詳細データを直接送信せず、センタ装置１の店舗紹介メールを介することにしたのは、センタ装置１側で紹介ポイントの管理を行うためである。
【００５３】
なお、携帯端末３のユーザが、既に被紹介者としてセンタ側に登録されていないと判定されていた場合、センタ装置１の紹介処理部６が、続いて下記のようなユーザ登録の有無の確認処理を実行してもよい。
先ず、店舗紹介要求中のメールアドレスでユーザ管理用ＤＢ１０を検索して該当するメールアドレスが登録されているか否かを判定する。このとき、ユーザ管理用ＤＢ１０に店舗紹介要求中のメールアドレスが登録されていなければ、未登録者に紹介している場合に該当する。そこで、紹介処理部６は、通信部５を介して携帯端末２からの紹介を受け付けられない旨を伝えるエラーメッセージメールを携帯端末２に返信する。このようにすることで、例えば未登録者の携帯端末に店舗紹介メールのみが通知された場合などに対応することができる。
【００５４】
一方、被紹介者は、店舗紹介メールを介して紹介された店舗に興味をもち詳細データを取得したい場合、店舗紹介メールにおける、携帯端末３の通信部１４のウェブブラウザと連動するＵＲＬ表示を、携帯端末３のキー操作等により押下する。これにより、携帯端末３の通信部１４のウェブブラウザ機能が起動し、携帯端末３の端末ＩＤが、ＨＴＴＰＳ（Hypertext Transfer Protocol Security）等の暗号化データとしてセンタ装置１の通信部５に自動的に送信される。これにより、センタ装置１の紹介処理部６が、通信部５を介して被紹介者の端末ＩＤを取得することができる。
【００５５】
なお、センタ装置１の紹介処理部６が、上述した店舗紹介要求中のメールアドレスを用いたユーザ登録の確認処理の代わりに下記のような確認処理を実行してもよい。
センタ装置１の紹介処理部６が、上述のようして送信された携帯端末３の端末ＩＤを受信すると、この端末ＩＤでユーザ管理用ＤＢ１０を検索して登録の有無を判定する。このとき、ユーザ管理用ＤＢ１０に当該端末ＩＤが登録されていなければ、未登録者に紹介している場合に該当するので、紹介処理部６は、通信部５を介して本システムへの登録を要求するメールを被紹介者の携帯端末３に送信する。
【００５６】
なお、本システムへの登録を要求するメールには、上述したようなユーザ登録により専用アプリケーションのダウンロード用ＵＲＬを通知するものが考えられる。このようにすることでも、未登録者の携帯端末に店舗紹介メールのみが通知された場合等に対応することができる。
【００５７】
一方、センタ装置１の紹介処理部６では、通信部５を介して携帯端末３からの店舗情報ＤＬ用ＵＲＬでのリクエストを受信すると、上述の確認処理により携帯端末３のユーザがユーザ登録されていることを確認した後、要求された店舗の詳細データを店舗管理用ＤＢ１１から読み出して、通信部５を介して被紹介者の携帯端末３にレスポンスとして送信する。この際、店舗の詳細データをＨＴＭＬタグ情報として送信すれば、携帯端末３の通信部１４のウェブブラウザ機能により、センタ側で定められたフォーマットでその表示画面上に店舗の詳細データを表示することができる。また、音声データとすることで音声で通知することも可能である。
【００５８】
また、センタ装置１の紹介処理部６では、通信部５を介して受信した被紹介者の端末ＩＤを、紹介管理用ＤＢ１２における紹介者の端末ＩＤ（携帯端末２の端末ＩＤ）、店舗ＩＤに対応付けて登録する。これにより、携帯端末３のユーザが携帯端末２のユーザによる紹介で店舗の詳細データをダウンロードしたことがセンタ装置１側に記録される。
【００５９】
上述のようにして、被紹介者は、携帯端末３にダウンロードした店舗の詳細データ（店舗の漢字名称、地図、店舗が行っているサービスクーポン等のオトク情報、その他店舗に固有な情報）を参照して、当該店舗を利用するか否かを決定できる。
【００６０】
このあと、被紹介者が、店舗の利用において来店時あるいは退店時等に、自己の携帯端末３と店舗端末４との近距離無線通信を行うことにより、店舗端末４側に利用実績が記録され、店舗紹介による広告効果が発生する。なお、近距離無線通信としては、非接触ＩＣカードとそのリーダ／ライタによりなされる場合、携帯端末３を店舗端末４のリーダ／ライタにかざすことにより近距離無線通信が開始される。また、ｂｌｕｅｔｏｏｔｈ（登録商標）を採用した通信手段であってもよい。
【００６１】
この短距離無線通信において、携帯端末３の簡易データ登録部１７が、店舗端末４に対して、メモリ１６に登録しておいた、紹介者の携帯端末２の端末ＩＤ、被紹介者の携帯端末３の端末ＩＤ及び当該店舗のオトク情報（クーポン等）を送信する。店舗端末４の利用ログ更新部２１では、受信した被紹介者の端末ＩＤで利用ログＤＢ２２を検索して被紹介者の来店回数（利用回数）や利用内容等を記録し、紹介者の端末ＩＤで利用ログＤＢ２２を検索して紹介者の利用ログに被紹介者の端末ＩＤを記録する。
【００６２】
そして、利用ログ更新部２１は、最新の来店回数やオトク情報（例えば、クーポンのポイント等）を利用結果情報として短距離無線通信部２０を介して携帯端末３に返信する。携帯端末３の簡易データ登録部１７は、短距離無線通信部１８を介して利用結果情報を受信すると、これをメモリ１６の記憶内容に反映させる。
【００６３】
なお、店舗端末４の利用ログＤＢ２２の内容は、定期的にあるいは常時、センタ装置１へ通知される。この利用実績通知には、例えば紹介者の端末ＩＤ、被紹介者の端末ＩＤ、店舗ＩＤ、利用金額、利用回数、利用内容などが含まれる。利用実績の通知方法としては、例えばセンタ装置１とデータ通信する機能を有する店舗端末４であれば、定期的にあるいは常時、センタ装置１と通信接続して広告結果更新部８に電子データとして通知する。また、店舗端末４が通信機能を有していなければ店舗側に別途用意した、センタ装置１とデータ通信する機能を有するＰＣで通知してもよい。また、ＦＡＸ等でセンタ側に伝え、オペレータが広告結果更新部８に入力するようにしてもよい。
【００６４】
センタ装置１の広告結果更新部８は、店舗側からの利用実績通知を受けると、利用実績通知の内容と紹介管理用ＤＢ１２の内容とをつきあわせて利用状況を把握し、広告結果管理ＤＢ１３の内容を更新する。
【００６５】
例えば、紹介管理用ＤＢ１２に登録した紹介者の端末ＩＤ、この紹介者の紹介対象の店舗ＩＤ、被紹介者の端末ＩＤについて、利用実績通知の内容と照合することにより、どのユーザがどのユーザに紹介したかを示す紹介結果、被紹介者の来店等により発生する広告料金、利用実績、紹介ポイント等の内容を決定し、広告結果情報として広告結果管理ＤＢ１３に記録する。この広告結果に応じて、センタと店舗との間で広告費の精算が行われ、紹介者の携帯端末２には、センタ装置１の広告結果更新部８から紹介ポイントが通知される。
【００６６】
以上のように、この実施の形態１によれば、店舗に来店したユーザがその場で紹介対象として登録することができ、また本システムの未登録者を含めたユーザに対して店舗を直接的に紹介することができるため、本システムに登録した店舗についての広告媒体を拡大することができる。これにより、新たな広告効果を得ることができる。
【００６７】
実施の形態２．
実施の形態１では、店舗紹介メールを紹介したいユーザに個別に送信することで店舗紹介する例を示したが、本実施の形態２は紹介者のウェブログサイトに店舗の紹介情報を記載して不特定者に公開するものである。
【００６８】
図４は、この発明の実施の形態２による情報紹介システムの構成を示すブロック図である。紹介者となるユーザのウェブログサイト（情報提供サイト）２３は、例えばセンタ装置１以外のウェブサーバの提供するものであってもよく、本システムにアフィリエイト登録した紹介者によってセンタ装置１にアクセスする際に必要なアフィリエイト用ＵＲＬが記載される。アフィリエイト用ＵＲＬは、上記実施の形態１における店舗情報ＤＬ用ＵＲＬと同様であるが、ユーザが本システムについてアフィリエイト登録したことを示す情報と共に表示される。例えば、バナーのようなものであってもよい。なお、図１と同一又はこれに相当する構成要素については同一符号を付して重複する説明を省略する。
【００６９】
店舗側（紹介対象となり得る情報の提供側）による本システムのサービスへの登録処理は、上記実施の形態１で説明した内容と同様である。一方、携帯端末のユーザによる登録処理では、上記実施の形態１で説明した、登録の第二段階であるアフィリエイト登録を行う必要がある。このアフィリエイト登録によって店舗紹介料等の支払を受けるサービスが得られる。なお、アフィリエイト用データには、店舗紹介によるポイントを紹介料に還元するためのユーザの金融機関の口座番号等がある。
【００７０】
次に、実施の形態２による店舗紹介処理について説明する。
図５は、実施の形態２による店舗紹介シーケンスであり、この図に沿って説明する。
紹介者となるユーザが、携帯端末２のキー操作等により店舗情報取得処理部１５を起動させると、携帯端末２の店舗情報取得処理部１５は、上記実施の形態１で示した店舗紹介メールを介した紹介か、本実施の形態によるウェブログサイトでの紹介かの選択画面を表示部に表示する。ここで、ユーザが、携帯端末２の表示画面上のウェブログサイトでの紹介を選択すると、店舗情報取得処理部１５が、メモリ１６の記憶内容に基づいて紹介対象として登録された店舗一覧を表示部に表示する。
【００７１】
この店舗一覧は、通信部１４のウェブブラウザと連動しており、紹介者となるユーザが、携帯端末２のキー操作等により紹介したい店舗を選択すると、自己のウェブログサイトで紹介したい旨、携帯端末２の端末ＩＤ、紹介したい店舗の店舗ＩＤを含む店舗紹介要求が、通信部１４を介してセンタ装置１に送信される。
【００７２】
センタ装置１の紹介処理部６では、通信部５を介して店舗紹介要求を受信すると、この店舗紹介要求に含まれる端末ＩＤ及び店舗ＩＤで紹介管理用ＤＢ１２を検索して紹介者と紹介対象の店舗の情報を特定し、紹介対象の店舗の詳細データをダウンロードするためのアフィリエイト用ＵＲＬ等の情報をレスポンスとして携帯端末２に返信する。アフィリエイト用ＵＲＬ等の情報としては、例えば紹介者や紹介対象の店舗、本システムのサービスの提供者を明記したバナー広告とし、これにアフィリエイト用ＵＲＬをリンクさせたものが考えられる。この場合、アフィリエイト用ＵＲＬ、紹介者、紹介対象の店舗、アフィリエイト登録した旨を示す情報がＨＴＭＬタグ情報として携帯端末２に送信される。
【００７３】
紹介者の携帯端末２では、通信部１４を介してアフィリエイト用ＵＲＬ等の情報を受信すると、これを自己のウェブログサイト２３に掲載してウェブ上で公開する。例えば、上述したアフィリエイト用ＵＲＬにリンクさせたバナーのようなＨＴＭＬデータであれば、携帯端末２のウェブブラウザ機能により、ウェブログサイト２３の所定欄に貼り付けるだけでアフィリエイト用ＵＲＬを掲載することができる。
【００７４】
ウェブログサイト２３はアクセス制限無く公開することで、不特定多数の者が被紹介者となり得る。ここで、例えば携帯端末３によりウェブログサイト２３を閲覧された場合を考える。携帯端末３のユーザが、ウェブログサイト２３に紹介された店舗に興味をもち、その詳細データを得たければ、携帯端末３のウェブブラウザ機能によりアフィリエイト用ＵＲＬを選択する。これにより、携帯端末３の通信部１４のウェブブラウザ機能により、携帯端末３の端末ＩＤが、ＨＴＴＰＳ等の暗号化データとしてセンタ装置１の通信部５に自動的に送信される。
【００７５】
センタ装置１の紹介処理部６は、通信部５を介して携帯端末３の端末ＩＤを受信すると、この端末ＩＤでユーザ管理用ＤＢ１０を検索して登録の有無を判定する。このとき、ユーザ管理用ＤＢ１０に当該端末ＩＤが登録されていなければ、未登録者が詳細データを要求している場合に該当するので、紹介処理部６は、通信部５を介して本システムへの登録を要求するレスポンスを携帯端末３に送信する。例えば、携帯端末３をユーザ登録用ウェブページに接続すること等が考えられる。
【００７６】
なお、センタ装置１の紹介処理部６が、通信部５を介して携帯端末３からのアフィリエイト用ＵＲＬでのリクエストを受信した際、携帯端末３のメールアドレスの送信を要求するレスポンスを携帯端末３に送信することで、携帯端末３からそのメールアドレスを受信するようにしてもよい。これにより、受信した携帯端末３のメールアドレスを用いて、上記実施の形態１で説明したメールアドレスによる既存の被紹介者であるか否かの確認処理を行うことができる。
【００７７】
一方、センタ装置１の紹介処理部６は、通信部５を介して携帯端末３からのアフィリエイト用ＵＲＬでのリクエストを受信すると、上述の確認処理により携帯端末３のユーザがユーザ登録されていることを確認した後、要求された店舗の詳細データを店舗管理用ＤＢ１１から読み出して、通信部５を介して被紹介者の携帯端末３にレスポンスとして送信する。この際、店舗の詳細データをＨＴＭＬタグ情報として送信すれば、携帯端末３の通信部１４のウェブブラウザ機能により、センタ側で定められたフォーマットでその表示画面上に店舗の詳細データを表示することができる。また、音声データとすることで音声で通知することも可能である。
【００７８】
また、紹介処理部６は、通信部５を介して受信した被紹介者の端末ＩＤを、紹介管理用ＤＢ１２における紹介者の端末ＩＤ（携帯端末２の端末ＩＤ）、店舗ＩＤに対応付けて登録する。これにより、携帯端末３のユーザが携帯端末２のユーザによる紹介で店舗の詳細データをダウンロードしたことがセンタ装置１側に記録される。
【００７９】
このようにして、上記実施の形態１と同様に、被紹介者は、携帯端末３にダウンロードした店舗の詳細データ（店舗の漢字名称、地図、店舗が行っているサービスクーポン等のオトク情報、その他店舗に固有な情報）を参照して、当該店舗を利用するか否かを決定できる。
【００８０】
このあと、被紹介者が、店舗の利用において来店時あるいは退店時等に、自己の携帯端末３と店舗端末４との近距離無線通信を行うことにより、店舗端末４側に利用実績が記録され、店舗紹介による広告効果が発生する。なお、近距離無線通信としては、非接触ＩＣカードとそのリーダ／ライタによりなされる場合、携帯端末３を店舗端末４のリーダ／ライタにかざすことにより近距離無線通信が開始される。また、ｂｌｕｅｔｏｏｔｈ（登録商標）を採用した通信手段であってもよい。
【００８１】
この短距離無線通信において、携帯端末３の簡易データ登録部１７が、店舗端末４に対して、メモリ１６に登録しておいた、紹介者の携帯端末２の端末ＩＤ、被紹介者の携帯端末３の端末ＩＤ及び当該店舗のオトク情報（クーポン等）を送信する。店舗端末４の利用ログ更新部２１では、受信した被紹介者の端末ＩＤで利用ログＤＢ２２を検索して被紹介者の来店回数（利用回数）や利用内容等を記録し、紹介者の端末ＩＤで利用ログＤＢ２２を検索して紹介者の利用ログに被紹介者の端末ＩＤを記録する。
【００８２】
そして、利用ログ更新部２１は、最新の来店回数やオトク情報（例えば、クーポンのポイント等）を利用結果情報として短距離無線通信部２０を介して携帯端末３に返信する。携帯端末３の簡易データ登録部１７は、短距離無線通信部１８を介して利用結果情報を受信すると、これをメモリ１６の記憶内容に反映させる。なお、店舗端末４の利用ログＤＢ２２の内容は、定期的にあるいは常時、センタ装置１へ通知される。この利用実績通知の内容や通知方法については、上記実施の形態１と同様である。
【００８３】
続いて、センタ装置１の広告結果更新部８は、店舗側からの利用実績通知の内容と紹介管理用ＤＢ１２の内容とをつきあわせて利用状況を把握し、広告結果管理ＤＢ１３の内容を更新する。例えば、紹介管理用ＤＢ１２に登録した紹介者の端末ＩＤ、この紹介者の紹介対象の店舗ＩＤ、被紹介者の端末ＩＤについて、利用実績通知の内容と照合することにより、どのユーザがどのユーザに紹介したかを示す紹介結果、被紹介者の来店等により発生する広告料金、利用実績、紹介ポイント加算等の内容を決定し、広告結果情報として広告結果管理ＤＢ１３に記録する。
【００８４】
この広告結果に応じて、センタと店舗との間でアフィリエイト費用の精算が行われ、紹介者には、紹介ポイント（アフィリエイトフィーポイント）が紹介料として還元されて、予め登録されたユーザの金融機関の口座等に支払われる。
【００８５】
上記説明では、ウェブログサイト２３を店舗紹介の媒体として利用する例を示したが、アフィリエイト登録したユーザに管理され、一般公開を許容するウェブページであれば、その形態は問わず、利用することができる。
【００８６】
以上のように、この実施の形態２によれば、店舗に来店したユーザがその場で紹介対象として登録することができると共に、自己が登録した店舗をウェブログサイト２３を介して不特定多数の者に紹介することができるため、本システムに登録した店舗に関する広告媒体をさらに拡大することができる。これにより、新たな広告効果を得ることができる。
【００８７】
なお、本発明において紹介情報の提供対象は、上記実施の形態１、２で説明したような店舗に限定されるものではない。例えば、店舗端末４が宿泊施設に設置した端末装置であり、ユーザが携帯端末とこの端末装置との短距離無線通信により宿泊施設の簡易データをやり取りしてこの宿泊施設を紹介対象として登録し、予めセンタ装置１に登録しておいた宿泊施設の詳細データについて上述のような紹介処理を実行する構成であってもよい。この場合、宿泊施設を利用したユーザによってリアルに登録された宿泊施設が紹介対象となる。
【００８８】
また、上記実施の形態１、２では、固定的に設置される店舗端末４を例にあげたが、このような形態の端末装置に限定されるものではない。例えば、携帯端末に非接触ＩＣカードとそのリーダ／ライタの両方の機能を持たせ、ユーザ個人の情報を簡易データとして設定しておき、当該携帯端末を有するユーザ同士が名刺代わりに簡易データをやり取りして互いを紹介対象として登録し、予めセンタ装置１に登録しておいた個人の詳細な紹介データについて上述のような紹介処理を実行するシステム等が考えられる。
【００８９】
さらに、本発明は、上記実施の形態１、２で説明したものに限定されるものではない。例えば、上記実施の形態１、２では通信媒体としてインターネットを利用する例を示したが、他の通信ネットワークであっても上述した構成に相当するものが構築できれば、本発明の実施の形態に含まれる。
【図面の簡単な説明】
【００９０】
【図１】この発明の実施の形態１による情報紹介システムの構成を示すブロック図である。
【図２】店舗の紹介対象登録を示すシーケンスである。
【図３】実施の形態１による店舗紹介を示すシーケンスである。
【図４】この発明の実施の形態２による情報紹介システムの構成を示すブロック図である。
【図５】実施の形態２による店舗紹介を示すシーケンスである。
【符号の説明】
【００９１】
１  センタ装置（情報管理装置）
２，３  携帯端末（紹介者端末、被紹介者端末）
４  店舗端末（情報提供用端末）
５  通信部
６  紹介処理部
７  ユーザ情報登録部
８  広告結果更新部
９  ユーザ用アプリケーションデータベース
１０  ユーザ管理用データベース
１１  店舗管理用データベース（対象物管理用データベース）
１２  紹介管理用データベース
１３  広告結果管理用データベース
１４  通信部（通信処理部）
１５  店舗情報取得処理部（通信処理部）
１６  メモリ
１７  簡易データ登録部（簡易情報登録部）
１８  近距離無線通信部
１９  簡易データ登録部（簡易情報送信部）
２０  近距離無線通信部
２１  利用ログ更新部
２２  利用ログデータベース
２３  ウェブログサイト
【図１】
2007079977.tif 000003
【図２】
2007079977.tif 000004
【図３】
2007079977.tif 000005
【図４】
2007079977.tif 000006
【図５】
2007079977.tif 000007